(57)【要約】  引出形遮断器は、引出枠と、引出枠内に配設される端子装置と、引出枠内からの引き出しが可能な遮断器本体と、遮断器本体の複数の遮断器側導体が挿通される複数の開口（５１２ａ，５１２ｂ）を有し、遮断器本体が引出枠内から引き出された場合に複数の開口（５１２ａ，５１２ｂ）を塞ぐシャッター機構とを備える。端末装置は、複数の引出枠側導体（２２−２，２３−２）を収納する複数の端子収納部（２１１，２１２）と、複数の端子収納部（２１１，２１２）のうち少なくとも一つに接続される一以上の通気路（２１５１，２１５２，２１５３，２１５４）を含む通気路部（２１５）とを有する絶縁ベース（２１）を備える。
2019116498.tif 000002
【特許請求の範囲】
【請求項１】
引出枠と、
電源側導体および負荷側導体に接続される複数の引出枠側導体を有し、前記引出枠内に配設される端子装置と、
前記引出枠内に収納された状態で前記複数の引出枠側導体と接続される複数の遮断器側導体を有し、前記引出枠内からの引き出しが可能な遮断器本体と、
前記遮断器本体の前記引出枠内への収納時に前記複数の遮断器側導体が挿通される複数の開口を有し、前記端子装置と前記遮断器本体との間に配設されるパネル部と、前記遮断器本体が前記引出枠内から引き出された場合に前記複数の開口を塞ぐシャッター部とを有するシャッター機構と、を備え、
前記端子装置は、
前記複数の引出枠側導体を収納する複数の端子収納部と、前記複数の端子収納部のうち少なくとも一つに接続される一以上の通気路を含む通気路部とを有する絶縁ベースを備える
ことを特徴とする引出形遮断器。
【請求項２】
前記通気路部は、
前記複数の端子収納部間を接続する通気路を有する
ことを特徴とする請求項１に記載の引出形遮断器。
【請求項３】
前記シャッター部は、
通気口を有し、
前記通気路部は、
前記通気口に一端が対向する通気路を有する
ことを特徴とする請求項１または２に記載の引出形遮断器。
【請求項４】
前記通気路部は、
前記遮断器本体と対向する領域のうち前記パネル部と対向していない領域から前記複数の端子収納部の少なくとも一つに連通し、かつ屈曲形状を有する一以上の通気路を有する
ことを特徴とする請求項１から３のいずれか一つに記載の引出形遮断器。
【請求項５】
前記絶縁ベース内に配置され、前記遮断器本体の前記引出枠内からの引き出しに伴って前記シャッター部を前記遮断器本体の引き出し方向に移動させるスライダーを備え、
前記絶縁ベースは、
前記端子収納部間に形成され、かつ前記スライダーを前記遮断器本体と対向する方向に移動可能に収納するスライダー収納部を備え、
前記スライダーは、
前記端子収納部間の通気路を形成する一以上の開口を有する
ことを特徴とする請求項１から４のいずれか一つに記載の引出形遮断器。
【請求項６】
前記スライダーの前記一以上の開口には、
前記遮断器本体が前記引出枠内から引き出された状態を維持するためのロック部材が取り付け可能である
ことを特徴とする請求項５に記載の引出形遮断器。
【請求項７】
前記シャッター部は、
前記スライダーと係合する第１係合部を備え、
前記スライダーは、
前記第１係合部と係合する第２係合部を備え、
前記スライダーの前記一以上の開口は、
前記第２係合部に連続して形成される
ことを特徴とする請求項５に記載の引出形遮断器。
【請求項８】
前記遮断器本体は、
三相の交流における相毎に前記複数の遮断器側導体を備え、
前記端子装置は、
前記複数の引出枠側導体と前記絶縁ベースとを前記相毎に備え、
前記三相の前記絶縁ベースのうち一つの相の前記絶縁ベースに前記スライダーが配置される
ことを特徴とする請求項５から７のいずれか一つに記載の引出形遮断器。
【発明の詳細な説明】
【技術分野】
【０００１】
本発明は、端子装置が配設される引出枠内に引き出し可能に遮断器本体が収納される引出形遮断器に関する。
【背景技術】
【０００２】
従来、シャッター機構を備える引出形遮断器が知られている。シャッター機構は、引出枠から遮断器本体が引き出されたときに遮断器本体の遮断器側導体が引離される引出枠側導体が遮断器本体側から見て露出することを防止するために、引出枠側導体を覆う機能を有している。【０００３】
例えば、特許文献１には、遮断器本体から突出する遮断器側導体の挿通が可能な開口を有するパネルである固定シャッターと、遮断器本体が引き出される際に駆動機構によって固定シャッターの開口を覆う位置に移動される可動シャッターとを備えるシャッター機構が開示されている。
【先行技術文献】
【特許文献】
【０００４】
【特許文献１】特開平６−２２４１８号公報
【発明の概要】
【発明が解決しようとする課題】
【０００５】
引出形遮断器の通電時において、遮断器本体の遮断器側導体と端子装置の引出枠側導体との接続部分が発熱する。しかしながら、シャッター機構を備える上記従来の引出形遮断器では、通電時において、端子装置の遮断器本体側が覆われることから放熱性が抑制されるという課題がある。【０００６】
本発明は、上記に鑑みてなされたものであって、遮断器本体の遮断器側導体と端子装置の引出枠側導体との接続部分の温度上昇を抑制することができる引出形遮断器を得ることを目的とする。
【課題を解決するための手段】
【０００７】
上述した課題を解決し、目的を達成するために、本発明の引出形遮断器は、引出枠と、端子装置と、遮断器本体と、シャッター機構とを備える。端子装置は、電源側導体および負荷側導体に接続される複数の引出枠側導体を有し、引出枠内に配設される。遮断器本体は、引出枠内に収納された状態で複数の引出枠側導体と接続される複数の遮断器側導体を有し、引出枠内からの引き出しが可能である。シャッター機構は、パネル部と、シャッター部とを有する。パネル部は、遮断器本体の引出枠内への収納時に複数の遮断器側導体が挿通される複数の開口を有し、端子装置と遮断器本体との間に配設される。シャッター部は、遮断器本体が引出枠内から引き出された場合に複数の開口を塞ぐ。端子装置は、複数の引出枠側導体を収納する複数の端子収納部と、複数の端子収納部のうち少なくとも一つに接続される一以上の通気路を含む通気路部とを有する絶縁ベースを備える。
【発明の効果】
【０００８】
本発明によれば、遮断器本体の遮断器側導体と端子装置の引出枠側導体との接続部分の温度上昇を抑制することができる、という効果を奏する。
【図面の簡単な説明】
【０００９】
【図１】本発明の実施の形態１にかかる引出形遮断器の外観図
【図２】実施の形態１にかかる引出形遮断器において遮断器本体が引出枠内から引き出された状態を示す外観図
【図３】実施の形態１にかかる端子装置を構成する複数の端子ユニットを引出枠内に配置する様子を示す背面図
【図４】実施の形態１にかかる端子ユニットの分解斜視図
【図５】実施の形態１にかかる引出枠側導体の構成例を示す平面図
【図６】実施の形態１にかかる端子ユニットの絶縁ベースの背面図
【図７】図６に示すVII-VII線に沿った断面図
【図８】実施の形態１にかかる絶縁ベースとシャッター機構との関係を示すシャッター機構の分解斜視図
【図９】実施の形態１にかかるシャッター機構を構成するパネル部の外観斜視図
【図１０】実施の形態１にかかるシャッター機構を構成するシャッターの外観斜視図
【図１１】実施の形態１にかかるシャッター機構を構成するスライダーの外観斜視図
【図１２】実施の形態１にかかる遮断器本体が引出枠内に収納された状態である引出形遮断器の一部断面図
【図１３】実施の形態１にかかる遮断器本体が引出枠内から引き出された状態である引出形遮断器の一部断面図
【図１４】実施の形態１にかかるシャッター機構が取り付けられた端子装置の正面図
【図１５】図１４に示すXV-XV線に沿った断面図
【図１６】実施の形態１にかかる端子装置からスライダーが押し出された状態を示す断面図
【図１７】実施の形態１にかかるシャッター機構にロック部材を取り付けた状態を示す図
【図１８】図１４に示すXVIII-XVIII線に沿った断面図
【図１９】実施の形態１にかかる引出形遮断器に形成される通気路を説明するための図
【図２０】実施の形態１にかかる引出形遮断器に形成される通気路を説明するための図
【発明を実施するための形態】
【００１０】
以下に、本発明の実施の形態にかかる引出形遮断器を図面に基づいて詳細に説明する。なお、この実施の形態によりこの発明が限定されるものではない。
【００１１】
実施の形態１．
図１は、本発明の実施の形態１にかかる引出形遮断器の外観図であり、図２は、実施の形態１にかかる引出形遮断器において遮断器本体が引出枠内から引き出された状態を示す外観図である。なお、図１および図２を含む図面において、説明を分かりやすくするために、鉛直上向きが正方向であるＺ軸と、実施の形態１にかかる引出形遮断器１００の前方を正方向とするＸ軸と、引出形遮断器１００の左方向を正方向とするＹ軸とを含む３次元の直交座標系を図示している。
【００１２】
図１に示すように、実施の形態１にかかる引出形遮断器１００は、３相回路の電路の開閉を行う遮断器本体１と、遮断器本体１に接続される端子装置２と、端子装置２が配設され且つ遮断器本体１を引き出し可能に収納する引出枠３とを備える。さらに、引出形遮断器１００は、図２に示すように、遮断器本体１と引出枠３とを連結する引出レール４を備える。かかる引出レール４によって、遮断器本体１が引出枠３内から引き出し可能とされる。なお、引出形遮断器１００は、例えば、不図示の閉鎖配電盤の筐体内に遮断器本体１を引出可能に収納される。
【００１３】
遮断器本体１は、３相回路の電路の開動作および閉動作を行う周知の構成を有する。開動作は、３相回路におけるＲ相、Ｓ相、およびＴ相の各々の電路を遮断する動作であり、閉動作は、３相回路におけるＲ相、Ｓ相、およびＴ相の各々の電路を接続する動作である。なお、遮断器本体１は、単相回路の電路の開動作および閉動作を行う構成であってもよい。
【００１４】
遮断器本体１は、不図示の固定接点、可動接点、開閉機構、および引外し機構を内蔵する筐体１０と、筐体１０の後方へ突出する遮断器側導体１１−１，１１−２，１１−３，１２−１，１２−２，１２−３とを備える。固定接点および可動接点は、相毎に設けられる。図２においては、遮断器側導体１２−３は、視認できない位置にあるため、図示されていないが、遮断器側導体１１−３の下方に設けられている。なお、以下において、遮断器側導体１１−１，１１−２，１１−３の各々を個別に区別せずに遮断器側導体１１と記載し、遮断器側導体１２−１，１２−２，１２−３の各々を個別に区別せずに遮断器側導体１２と記載する場合がある。
【００１５】
筐体１０の前面部１０ａには不図示の操作ボタンが設けられており、かかる操作ボタンが操作されることで、相単位で可動接点が固定接点へ接触する閉動作および相単位で可動接点が固定接点から乖離する開動作が行われる。相単位で可動接点が固定接点へ接触することで３相回路の電路が接続されて遮断器本体１が通電状態になる。また、相単位で可動接点が固定接点から乖離することで３相回路の電路が遮断されて遮断器本体１が非通電状態になる。また、筐体１０内に設けられた引外し機構は、３相回路に過電流が流れたとき、相単位で可動接点を固定接点から自動的に乖離させて３相回路の電路を遮断する構成を有している。
【００１６】
遮断器側導体１１−１，１１−２，１１−３は、筐体１０内に設けられた固定接点に接続され、端子装置２を介して不図示の電源側導体に電気的に接続される導体である。遮断器側導体１２−１，１２−２，１２−３は、筐体１０内に設けられた可動接点に接続され、端子装置２を介して不図示の負荷側導体に電気的に接続される導体である。遮断器側導体１１−１，１２−１は、Ｒ相の電路を形成する導体であり、遮断器側導体１１−２，１２−２は、Ｓ相の電路を形成する導体であり、遮断器側導体１１−３，１２−３は、Ｔ相の電路を形成する導体である。
【００１７】
なお、図１に示す例では、遮断器側導体１１−１，１１−２，１１−３が遮断器側導体１２−１，１２−２，１２−３よりも上方に位置しているが、遮断器側導体１１−１，１１−２，１１−３が遮断器側導体１２−１，１２−２，１２−３よりも下方に位置していてもよい。
【００１８】
端子装置２は、複数の絶縁ベース２１と、かかる複数の絶縁ベース２１に後方が突出した状態で収納される引出枠側導体２２−１，２２−２，２２−３，２３−１，２３−２，２３−３とを備える。引出枠側導体２２−１は、一端部が不図示のＲ相の電源側導体に接続され、遮断器本体１が引出枠３内に収納された場合に他端部が遮断器側導体１１−１に接続される。引出枠側導体２２−２は、一端部が不図示のＳ相の電源側導体に接続され、遮断器本体１が引出枠３内に収納された場合に他端部が遮断器側導体１１−２に接続される。引出枠側導体２２−３は、一端部が不図示のＴ相の電源側導体に接続され、遮断器本体１が引出枠３内に収納された場合に他端部が遮断器側導体１１−３に接続される。なお、電源側導体は、電源装置と引出形遮断器１００とを接続する導体である。
【００１９】
また、引出枠側導体２３−１は、一端部が不図示のＲ相の負荷側導体に接続され、遮断器本体１が引出枠３内に収納された場合に他端部が遮断器側導体１２−１に接続される。引出枠側導体２３−２は、一端部が不図示のＳ相の負荷側導体に接続され、遮断器本体１が引出枠３内に収納された場合に他端部が遮断器側導体１２−２に接続される。引出枠側導体２３−３は、一端部が不図示のＴ相の負荷側導体に接続され、遮断器本体１が引出枠３内に収納された場合に他端部が遮断器側導体１２−３に接続される。負荷側導体は、電源装置から電力が供給される負荷と引出形遮断器１００とを接続する導体である。負荷は、例えば、電源装置からの電力で動作する電気機器である。
【００２０】
以下において、引出枠側導体２２−１，２２−２，２２−３の各々を個別に区別せずに引出枠側導体２２と記載し、引出枠側導体２３−１，２３−２，２３−３の各々を個別に区別せずに引出枠側導体２３と記載する場合がある。端子装置２の構成については後で詳述する。
【００２１】
引出枠３は、左右の側板３１，３２を備える。図１に示すように、遮断器本体１は、左右の側板３１，３２で囲まれる領域である引出枠３内に引き出し可能に収納される。また、端子装置２は、引出枠３内に着脱可能に配設される。
【００２２】
図１に示す例では、引出枠３内への遮断器本体１の収納は、遮断器本体１の前面部１０ａが露出した状態で行われ、引出枠３内への端子装置２の配設は、引出枠側導体２２，２３が後方に突出した状態で行われる。なお、引出枠３は、図１および図２に示す構成に限定されず、また、引出枠３内への遮断器本体１の収納位置および引出枠３内への端子装置２の配設位置も図１および図２に示す例に限定されない。
【００２３】
引出レール４は、遮断器本体１を引出枠３内から引き出し可能に遮断器本体１と引出枠３とを連結する引出レールであり、前後方向に引出レール４の長さが伸縮可能になるように連結された複数のレール部材４１，４２から構成される。なお、引出レール４は、遮断器本体１を引出枠３内から引き出し可能に遮断器本体１と引出枠３とを連結する構成であればよく、図２に示す構成に限定されない。また、引出レール４に代えて、遮断器本体１を引出枠３内から引き出し可能に遮断器本体１と引出枠３とを連結する１以上の部材を引出形遮断器１００に設けてもよい。
【００２４】
遮断器本体１は、例えば、不図示の引出ハンドルおよび引出機構を備えており、引出ハンドルを引出機構に係合させて回転させることで、引出機構によって引出レール４を前後方向に伸縮させることができる。引出レール４が前後方向に伸びることで引出枠３内から遮断器本体１が引き出され、引出レール４が前後方向で縮むことで引出枠３内に遮断器本体１が収納され、遮断器本体１の遮断器側導体１１，１２と端子装置２の引出枠側導体２２，２３とが接続される。
【００２５】
次に、端子装置２の具体的な構成について説明する。図３は、実施の形態１にかかる端子装置を構成する複数の端子ユニットを引出枠内に配置する様子を示す背面図である。図３に示すように、端子装置２は、３つの端子ユニット２０−１，２０−２，２０−３を備える。
【００２６】
図３に示す例では、端子ユニット２０−１，２０−２，２０−３が引出枠３内に配置される際の様子を示している。図３に示す双方向の矢印は、端子ユニット２０−１，２０−２の移動方向を示す。端子ユニット２０−１，２０−２，２０−３は、引出枠３の上方から下方に移動させることで引出枠３内に配置することができ、また、上方へ移動させることで引出枠３から取り外すことが可能である。
【００２７】
端子ユニット２０−１，２０−２，２０−３の下端部は、引出枠３を構成する保持板３３の不図示の開口に挿入されて保持板３３で保持される。また、端子ユニット２０−１，２０−２，２０−３の上端部は、図２に示すように、引出枠３を構成する保持板３４の不図示の開口に挿入されて保持板３４で保持される。これにより、端子装置２が引出枠３に固定される。
【００２８】
保持板３３，３４は、側板３１，３２に固定されており、側板３１，３２から保持板３３を取り外すことで、端子ユニット２０−１，２０−２，２０−３を引出枠３内から取り外すことができる。このように、端子装置２は、引出枠３内に着脱可能に配置される。
【００２９】
端子ユニット２０−１は、Ｒ相用導体である引出枠側導体２２−１，２３−１を備える。また、端子ユニット２０−２は、Ｓ相用導体である引出枠側導体２２−２，２３−２を備える。また、端子ユニット２０−３は、Ｔ相用導体である引出枠側導体２２−３，２３−３を備える。なお、図３に示す端子装置２は、３つの端子ユニット２０−１，２０−２，２０−３で構成されるが、端子ユニット２０−１，２０−２，２０−３の複数の絶縁ベース２１を一体成形することで、端子装置２を一つの端子ユニットで構成することもできる。
【００３０】
ここで、端子ユニット２０−１，２０−２，２０−３の構成について具体的に説明する。なお、端子ユニット２０−１，２０−２，２０−３は互いに同じ構成であるため、以下においては、端子ユニット２０−２の構成について説明する。図４は、実施の形態１にかかる端子ユニットの分解斜視図であり、図５は、実施の形態１にかかる引出枠側導体の構成例を示す平面図である。
【００３１】
図４に示すように、端子ユニット２０−２は、絶縁ベース２１と、引出枠側導体２２−２，２３−２とを備える。絶縁ベース２１は、引出枠側導体２２−２が挿入される端子収納部２１１と、引出枠側導体２３−２が挿入される端子収納部２１２とを備える。
【００３２】
引出枠側導体２２−２は、端子導体２２１と、中継端子導体２２２と、コネクター２２３とを備える。また、引出枠側導体２３−２は、端子導体２３１と、中継端子導体２３２と、コネクター２３３とを備える。引出枠側導体２２−２，２３−２は互いに同じ構成である。
【００３３】
引出枠側導体２２−２の端子導体２２１は、第１の鉛直面であるＺ−Ｙ平面に沿って広がる底部２２１ａと、底部２２１ａから後方へ延伸し且つ水平面であるＸ−Ｙ平面に平行に配置される端子部２２１ｂとを備える。端子導体２２１の端子部２２１ｂに不図示の電源側導体が接続される。また、引出枠側導体２３−２の端子導体２３１は、端子導体２２１と同様に、底部２３１ａと端子部２３１ｂとを備え、端子導体２３１の端子部２３１ｂに不図示の負荷側導体が接続される。
【００３４】
図４に示す例では、底部２２１ａ，２３１ａは、正面視において４辺の長さが等しい正方形形状を有しており、直方体状に形成されている。また、端子部２２１ｂ，２３１ｂは、底部２２１ａ，２３１ａの上下方向で対向する辺で挟まれた領域の中間部分から底部２２１ａ，２３１ａに垂直に後方へ延伸する形状に形成されている。底部２２１ａ，２３１ａの底面は、平坦面である。なお、端子部２２１ｂ，２３１ｂは、側面視でＴ字状に形成されるが、図４に示す形状に限定されない。
【００３５】
中継端子導体２２２は、第１の鉛直面であるＺ−Ｙ平面に沿って広がる底部２２２ａと、底部２２２ａから前方へ第１の鉛直面に直交する第２の鉛直面であるＸ−Ｚ平面に沿って延伸し且つ平面視でＹ字状に形成された先端部２２２ｂとを備える。また、引出枠側導体２３−２の中継端子導体２３２は、中継端子導体２２２と同様に、底部２３２ａと先端部２３２ｂとを備える。
【００３６】
中継端子導体２２２は、端子収納部２１１に挿入され、中継端子導体２２２の底部２２２ａが複数のネジ２５によって固定される。同様に、中継端子導体２３２は、端子収納部２１２に挿入され、中継端子導体２３２の底部２３２ａが複数のネジ２５によって固定される。なお、複数のネジ２５は、絶縁ベース２１に設けられた複数のネジ穴２１９を通じて中継端子導体２２２，２３２に取り付けられる。
【００３７】
図５に示すように、中継端子導体２２２の底部２２２ａは、端子導体２２１の底部２２１ａと複数のボルト２４によって連結される。これにより、中継端子導体２２２と端子導体２２１とが電気的に接続される。なお、底部２２２ａの底面は、底部２２１ａの底面と同様に平坦面である。したがって、中継端子導体２２２の底部２２２ａと端子導体２２１の底部２２１ａとが連結された状態において、底部２２２ａの底面と底部２２１ａの底面とが接触する。
【００３８】
なお、図４および図５に示す例では、中継端子導体２２２と端子導体２２１とは４本のボルト２４で固定されるが、ボルト２４の数は４本に限定されない。また、中継端子導体２２２と端子導体２２１とは、取り外し可能に固定されていればよく、ボルト２４以外の締結具で固定されてもよい。
【００３９】
中継端子導体２２２と端子導体２２１との接続の場合と同様に、中継端子導体２３２の底部２３２ａは、端子導体２３１の底部２３１ａとボルト２４によって連結される。これにより、中継端子導体２３２と端子導体２３１とが電気的に接続される。
【００４０】
なお、中継端子導体２２２と端子導体２２１とは別部材で構成されるが、絶縁ベース２１に挿入され、且つ絶縁ベース２１に固定される構成であればよく、中継端子導体２２２と端子導体２２１とは一体成形によって構成されてもよい。同様に、中継端子導体２３２と端子導体２３１とは一体成形によって構成されてもよい。
【００４１】
図５に示すように、引出枠側導体２２−２のコネクター２２３は、中継端子導体２２２と接続される。かかるコネクター２２３は、遮断器本体１が引出枠３内に収納された状態において、遮断器本体１の遮断器側導体１１−２に接続される。コネクター２２３は、中継端子導体２２２と係合する溝部２２３ａと、遮断器側導体１１−２と係合する溝部２２３ｂとを備える。
【００４２】
コネクター２２３と中継端子導体２２２との接続は、コネクター２２３の溝部２２３ａに中継端子導体２２２の先端部２２２ｂを挿入することにより行われる。溝部２２３ａを構成する部材と先端部２２２ｂを構成する部材は、弾性を有しており、先端部２２２ｂが溝部２２３ａに係合すると、先端部２２２ｂの外面と溝部２２３ａの内壁面とが互いに押し合う。そのため、先端部２２２ｂと溝部２２３ａとの係合を強固なものとすることができ、遮断器側導体１１−２を引出枠側導体２２−２から引き抜く際に、中継端子導体２２２とコネクター２２３とが外れることを防止することができる。このように、先端部２２２ｂと溝部２２３ａとの係合は、ストッパーの役割も果たす。
【００４３】
また、コネクター２２３と遮断器側導体１１−１との接続は、コネクター２２３の溝部２２３ｂに遮断器側導体１１−２の先端部を挿入することによって行われる。遮断器側導体１１−２の先端部がコネクター２２３の溝部２２３ｂに挿入される際に、コネクター２２３は、首振り動作を行うことができる。先端部２２２ｂと溝部２２３ａとの係合部分がコネクター２２３の首振り動作の支点になる。なお、コネクター２２３は、首振り動作を行わない構成であってもよい。
【００４４】
引出枠側導体２３−２のコネクター２３３は、中継端子導体２３２と接続され、中継端子導体２３２と係合する溝部２３３ａと、遮断器側導体１２−２と係合する溝部２３３ｂとを備える。コネクター２３３と中継端子導体２３２との接続は、コネクター２３３の溝部２３３ａに中継端子導体２３２の先端部２３２ｂを挿入することにより行われる。また、コネクター２３３と遮断器側導体１２−２との接続は、コネクター２３３の溝部２３３ｂに遮断器側導体１２−２の先端部を挿入することによって行われる。
【００４５】
なお、端子導体２２１と中継端子導体２２２とコネクター２２３とは、一体成形によって構成されてもよい。同様に、端子導体２３１と中継端子導体２３２とコネクター２３３とは、一体成形によって構成されてもよい。
【００４６】
次に、絶縁ベース２１の構成について具体的に説明する。図６は、実施の形態１にかかる端子ユニットの絶縁ベースの背面図であり、図７は、図６に示すVII-VII線に沿った断面図である。なお、端子ユニット２０−１，２０−２，２０−３は、互いに同一構成の絶縁ベース２１を有している。また、図７に示す断面図は一部を簡略化して示している。
【００４７】
図６および図７に示すように、絶縁ベース２１は、引出枠側導体２２が収納される空間である端子収納部２１１と、引出枠側導体２３が収納される空間である端子収納部２１２とを備える。
【００４８】
また、絶縁ベース２１は、後述するスライダー５３が収納される空間であるスライダー収納部２１３と、後述するスライダー５４が収納される空間であるスライダー収納部２１４とを備える。スライダー収納部２１３には、後述するように、スライダー摺動溝２１３ａ，２１３ｂが形成される。また、スライダー収納部２１４にも、後述するように、スライダー収納部２１３と同様にスライダー摺動溝が形成される。
【００４９】
さらに、絶縁ベース２１は、通気路部２１５と通気口部２１６とを備える。通気路部２１５は、端子収納部２１１と端子収納部２１２との間に形成される上下通気路２１５１と、上下方向においてスライダー収納部２１３，２１４間に挟まれ、前後方向に延伸する前後通気路２１５２とを備える。また、通気路部２１５は、絶縁ベース２１の下部に形成され、前後方向に延伸する下部通気路２１５３と、絶縁ベース２１の上部に形成され、前後方向に延伸する上部通気路２１５４とを備える。
【００５０】
また、通気口部２１６は、図７に示すように、前後通気路２１５２に連続する通気口２１６１と、下部通気路２１５３に連続する通気口２１６２と、上部通気路２１５４に連続する通気口２１６３とを含む。
【００５１】
上下通気路２１５１は、絶縁ベース２１に溝状に形成されており、一端部が端子収納部２１１に連続し、他端部が端子収納部２１２に連続する。かかる上下通気路２１５１によって、遮断器側導体１１と引出枠側導体２２との接続部分と、遮断器側導体１２と引出枠側導体２３との接続部分との間の自然対流が可能になる。
【００５２】
上下通気路２１５１は、スライダー収納部２１３，２１４と一部の空間を共用している。なお、後述するように、端子ユニット２０−１，２０−２，２０−３のうち端子ユニット２０−２の絶縁ベース２１のみに後述するスライダー５３，５４が収納される。
【００５３】
前後通気路２１５２は、一端部が通気口２１６１に連続し、他端部が上下通気路２１５１に連続している。図７に示す例では、前後通気路２１５２は、通気口２１６１から絶縁ベース２１における前後方向の中央部まで延伸して上下通気路２１５１に連続しているが、絶縁ベース２１における前後方向の中央部から端子収納部２１１，２１２に連続する構成であってもよい。また、図示していないが、前後通気路２１５２は、左右方向に間隔を空けて絶縁ベース２１に２つ形成される。通気口２１６１も左右方向に間隔を空けて絶縁ベース２１に２つ形成される。
【００５４】
前後通気路２１５２によって、絶縁ベース２１の前面から通気口２１６１を介して前後通気路２１５２に空気が流入し、流入した空気を上下通気路２１５１経由で端子収納部２１１，２１２へ流入させることができる。
【００５５】
下部通気路２１５３は、一端部が通気口２１６２に連続しており、他端部が端子収納部２１２に連続している。かかる下部通気路２１５３によって、絶縁ベース２１の通気口２１６２を介して端子収納部２１２に空気を流入させることができる。
【００５６】
図７に示す例では、下部通気路２１５３は、通気口２１６２から絶縁ベース２１における前後方向の中央部まで延伸して端子収納部２１２に連続している。また、下部通気路２１５３は、引出枠側導体２３−２に直接接触できないように、上方に屈曲する屈曲部２１５３ａを有している。なお、下部通気路２１５３は、引出枠側導体２３−２に直接接触できないように屈曲形状を有していればよく、図７に示す構成に限定されない。
【００５７】
上部通気路２１５４は、一端部が通気口２１６３に連続しており、他端部が端子収納部２１１に連続している。かかる上部通気路２１５４によって、絶縁ベース２１の前面から通気口２１６３を介して端子収納部２１１に空気を流入させることができる。
【００５８】
図７に示す例では、上部通気路２１５４は、通気口２１６３から絶縁ベース２１における前後方向の中央部まで延伸して端子収納部２１１に連続している。また、上部通気路２１５４は、引出枠側導体２２−２に直接接触できないように、下方に屈曲する屈曲部２１５４ａを有している。なお、上部通気路２１５４は、引出枠側導体２２−２に直接接触できないように屈曲形状を有していればよく、図７に示す構成に限定されない。
【００５９】
以上のように、絶縁ベース２１には、通気路部２１５および通気口部２１６が形成されている。かかる通気路部２１５および通気口部２１６によって、後述するように、遮断器側導体１１と引出枠側導体２２との接続部分の温度上昇、および遮断器側導体１２と引出枠側導体２３との接続部分の温度上昇を抑制することができる。
【００６０】
引出形遮断器１００は、遮断器本体１が引出枠３から引き出されたときに、遮断器本体１の遮断器側導体１１，１２が引離される引出枠側導体２２，２３が前方に露出することを防止するために、引出枠側導体２２，２３を覆う後述のシャッター機構５を備える。図８は、実施の形態１にかかる絶縁ベースとシャッター機構との関係を示すシャッター機構の分解斜視図である。
【００６１】
図８に示すように、シャッター機構５は、端子装置２の前面を覆うパネル部５１と、パネル部５１と端子装置２との間に配設されたシャッター部５２と、スライダー５３，５４と、圧縮ばね５５，５６とを備える。パネル部５１は、３つのパネル５１１，５１２，５１３を備える。また、シャッター部５２は、２つのシャッター５２１，５２２を備える。パネル部５１は、絶縁ベース２１における遮断器本体１と対向する領域２１８のうち下端部領域２１８ｂおよび上端部領域２１８ｃとの間の領域２１８ａと対向する位置に配置される。
【００６２】
圧縮ばね５５の一端部はスライダー５３の基端部に取り付けられ、圧縮ばね５６の一端部はスライダー５４の基端部に取り付けられる。図７に示すように、絶縁ベース２１には、圧縮ばね５５，５６を受けるばね受け部６１，６２が設けられている。圧縮ばね５５の他端部は、絶縁ベース２１に固定されたばね受け部６１に取り付けられ、圧縮ばね５６の他端部は、絶縁ベース２１に固定されたばね受け部６２に取り付けられる。なお、ばね受け部６１，６２は、絶縁ベース２１と別体で構成されるが、絶縁ベース２１と一体成形により形成されてもよい。
【００６３】
まず、パネル部５１のパネル５１１，５１２，５１３について具体的に説明する。図９は、実施の形態１にかかるシャッター機構を構成するパネル部の外観斜視図である。図９に示すように、パネル５１１は、遮断器側導体１１が挿通される開口５１１ａと、遮断器側導体１２が挿通される開口５１１ｂと、２つの通気口２１６１に対向して設けられた２つの通気口５１１ｃ，５１１ｄとを備える。パネル５１３は、パネル５１１と同様の構成であり、開口５１１ａ，５１１ｂおよび通気口５１１ｃ，５１１ｄと同様の開口５１３ａ，５１３ｂおよび通気口５１３ｃ，５１３ｄを備える。
【００６４】
また、パネル５１２は、パネル５１１の開口５１１ａ，５１１ｂおよび通気口５１１ｃ，５１１ｄと同様の開口５１２ａ，５１２ｂおよび通気口５１２ｃ，５１２ｄを備え、さらに、スライダー５３が挿通される開口５１２ｅと、スライダー５４が挿通される開口５１２ｆとを備える。
【００６５】
なお、図９に示す例では、パネル部５１が３つのパネル５１１，５１２，５１３を有する構成であるが、パネル部５１は、パネル５１１，５１２，５１３が一体成形された一つのパネルを有する構成であってもよい。また、図８に示す例では、パネル部５１は、絶縁ベース２１に取り外し可能に接続されるが、パネル部５１は、引出枠３に取り外し可能に固定されてもよい。
【００６６】
次に、シャッター部５２のシャッター５２１，５２２について具体的に説明する以下では、シャッター５２１の構成について具体的に説明する。図１０は、実施の形態１にかかるシャッター機構を構成するシャッターの外観斜視図である。
【００６７】
図１０に示すように、シャッター５２１は、閉塞板部５２１ａ，５２１ｂ，５２１ｃと、閉塞板部５２１ａ，５２１ｂ，５２１ｃの上端部同士を連結する連結部５２１ｄと、閉塞板部５２１ａ，５２１ｂ，５２１ｃの下端部同士を連結する連結部５２１ｅと、連結部５２１ｅから下方に突出する凸部５２１ｆとを備える。なお、シャッター５２２は、不図示の凸部５２２ｆが上方に突出する点で、シャッター５２１の５２１ｆと異なるが、その他の構成は、シャッター５２１と同じである。
【００６８】
シャッター５２１は、絶縁ベース２１に摺動可能に取り付けられる。図８に示すように、絶縁ベース２１には、複数の摺動面２１０が形成されている。そして、シャッター５２１は、摺動面２１０を摺動可能に取り付けられる。シャッター５２１は、摺動面２１０を左右方向に摺動して、閉塞位置と開放位置とに選択的に移動することができる。閉塞位置は、閉塞板部５２１ａ，５２１ｂ，５２１ｃで開口５１１ａ，５１２ａ，５１３ａを閉塞する位置である。また、開放位置は、閉塞板部５２１ａ，５２１ｂ，５２１ｃで開口５１１ａ，５１２ａ，５１３ａを閉塞しない位置である。
【００６９】
次に、スライダー５３，５４について説明する。なお、スライダー５３，５４は互いに同じ構成であるため、以下では、スライダー５３の構成について具体的に説明し、スライダー５４の具体的構成の説明を省略する。図１１は、実施の形態１にかかるシャッター機構を構成するスライダーの外観斜視図である。
【００７０】
図１１に示すように、スライダー５３は、平面視で方形状に形成された本体部５３ａと、圧縮ばね５５の一端部が取り付けられる凸部５３ｂと、スライダー収納部２１３に形成された図８に示すスライダー摺動溝２１３ａ，２１３ｂに挿入されスライダー摺動溝２１３ａ，２１３ｂに前後方向に摺動する凸部５３ｃ，５３ｄとを備える。
【００７１】
さらに、スライダー５３は、図８および図１０に示すシャッター５２１の凸部５２１ｆと係合する溝部５３ｅと、溝部５３ｅの一部の領域の下方に連続して貫通して形成される開口５３ｆと、凸部５３ｂと溝部５３ｅとで囲まれた領域に上下方向に貫通して形成された開口５３ｇとを備える。溝部５３ｅは、スライダー５３の前方の左方側から後方に向けて延伸する第１の直進部５３１ｅと、第１の直進部５３１ｅの終端から右後方側へ延伸する傾斜部５３２ｅと、傾斜部５３２ｅの終端から後方に延伸する第２の直進部５３３ｅとを有する。
【００７２】
シャッター５２１の凸部５２１ｆが溝部５３ｅの傾斜部５３２ｅを移動することで、スライダー５３によってシャッター５２１が左右方向にスライド移動させられる。なお、スライダー５４は、スライダー５３と同じ構成であり、図示していないが、スライダー５３の溝部５３ｅおよび開口５３ｆ，５３ｇと同様の不図示の溝部５４ｅおよび開口５４ｆ，５４ｇを備える。スライダー５３，５４の開口５３ｇ，５４ｇは、後述するように、通気用の開口およびロック用の開口として用いられる。
【００７３】
図１２は、実施の形態１にかかる遮断器本体が引出枠内に収納された状態である引出形遮断器の一部断面図であり、図１３は、実施の形態１にかかる遮断器本体が引出枠内から引き出された状態である引出形遮断器の一部断面図である。図１４は、実施の形態１にかかるシャッター機構が取り付けられた端子装置の正面図であり、図１５は、図１４に示すXV-XV線に沿った断面図であり、図１６は、実施の形態１にかかる端子装置からスライダーが押し出された状態を示す断面図である。図１２および図１３に示す一部断面図には、端子装置２を除く部分の平面図と端子装置２の上部の断面図とが示される。なお、図１２および図１３では、引出枠３および引出レール４は省略されている。
【００７４】
遮断器本体１が引出枠３内に収納された状態では、図１２に示すように、遮断器側導体１１−１がパネル５１１の開口５１１ａを介して端子装置２の端子収納部２１１に挿入されている。端子収納部２１１において、遮断器側導体１１−１は、引出枠側導体２２−１のコネクター２２３に接続される。
【００７５】
同様に、遮断器側導体１１−２は、パネル５１２の開口５１２ａを介して端子装置２の端子収納部２１１に挿入され、引出枠側導体２２−２のコネクター２２３に接続される。遮断器側導体１１−３は、パネル５１３の開口５１３ａを介して端子装置２の端子収納部２１１に挿入され、引出枠側導体２２−３のコネクター２２３に接続される。
【００７６】
また、図１５に示すように、遮断器本体１が引出枠３内に収納された状態では、スライダー５３は、遮断器本体１のスライダー収納部２１３に押込まれている。なお、スライダー５３の凸部５３ｂは圧縮ばね５５を介してばね受け部６１に取り付けられている。
【００７７】
引出形遮断器１００は、図１２および図１５に示す状態から遮断器本体１が引出枠３内から前方に引き出されると、図１３および図１６に示すように、遮断器本体１のスライダー収納部２１３に押込まれていたスライダー５３が圧縮ばね５５の伸張力によって前方に押される。そのため、シャッター５２１の凸部５２１ｆがスライダー５３の溝部５３ｅ上を摺動し、遮断器側導体１１−１，１１−２，１１−３が開口５１１ａ，５１２ａ，５１３ａを通過した後に、シャッター５２１が左方向に移動する。これにより、開口５１１ａ，５１２ａ，５１３ａが閉塞板部５２１ａ，５２１ｂ，５２１ｃによって閉塞される。なお、スライダー５３は絶縁ベース２１の前面側に押し戻されるが、スライダー５３の凸部５３ｃ，５３ｄがパネル５１２に衝突するため、スライダー５３の前方への移動が止まる。
【００７８】
また、シャッター５２２とスライダー５４との関係は、シャッター５２１とスライダー５３との関係と原理的に同じであるが、スライダー５４は、スライダー５３の上下方向を反転して端子装置２に取り付けられるため、スライダー５４の移動方向がスライダー５３の移動方向と反対方向になる。
【００７９】
具体的には、引出形遮断器１００は、図１２に示す状態から遮断器本体１が引出枠３内から前方に引き出されると、スライダー５４が圧縮ばね５６の伸張力によって前方に押される。そのため、遮断器側導体１２−１，１２−２，１２−３が開口５１１ｂ，５１２ｂ，５１３ｂを通過した後に、シャッター５２２が右方向に移動する。これにより、開口５１１ａ，５１２ａ，５１３ａとシャッター５２１との関係と同様に、開口５１１ｂ，５１２ｂ，５１３ｂがシャッター５２２によって閉塞される。
【００８０】
このように、引出形遮断器１００は、遮断器本体１が引出枠３内から引き出された場合に、パネル５１１，５１２，５１３の開口５１１ａ，５１２ａ，５１３ａ，５１１ｂ，５１２ｂ，５１３ｂがシャッター５２１，５２２によって閉塞される。これにより、端子装置２から引出枠側導体２２，２３が前方に露出することができる。
【００８１】
引出形遮断器１００は、遮断器本体１が引出枠３内から引き出された状態で、ロック部材を用いてスライダー５３，５４が絶縁ベース２１内に押し込まれることを防止することができる。図１７は、実施の形態１にかかるシャッター機構にロック部材を取り付けた状態を示す図である。なお、図１７では、説明の便宜上、遮断器本体１、絶縁ベース２１以外の端子装置２の構成、および引出レール４を図示していない。
【００８２】
図１７に示すように、スライダー５３，５４の開口５３ｇ，５４ｇにロック部材７のつる７１が挿通されており、つる７１は鍵本体７２によって施錠されている。図１７に示す状態では、ロック部材７のつる７１および鍵本体７２がパネル部５１に当接することによってスライダー５３，５４の絶縁ベース２１へ向けての移動が規制される。
【００８３】
これにより、スライダー５３，５４に絶縁ベース２１へ向けた力が働いた場合であっても、シャッター５２１，５２２の移動が規制される。そのため、パネル５１１，５１２，５１３の開口５１１ａ，５１２ａ，５１３ａ，５１１ｂ，５１２ｂ，５１３ｂがシャッター５２１，５２２によって閉塞された状態が維持される。なお、図１７に示すロック部材７は、南京錠であるが、ロック部材７は、南京錠に限定されず、南京錠以外のロック部材であってもよい。
【００８４】
ここで、遮断器本体１の遮断器側導体１１，１２と端子装置２の引出枠側導体２２，２３との接続部分の温度上昇を抑制する構成について、さらに具体的に説明する。図１８は、図１４に示すXVIII-XVIII線に沿った断面図であり、図１９および図２０は、実施の形態１にかかる引出形遮断器に形成される通気路を説明するための図である。なお、図１８から図２０では、引出枠側導体２２，２３における端子導体２２１，２３１の構成の一部を図示していない。また、図１９および図２０では、空気の流れの一例を太線の矢印で示している。
【００８５】
図１８に示すように、端子ユニット２０−２の絶縁ベース２１には、上下通気路２１５１、前後通気路２１５２、下部通気路２１５３、および上部通気路２１５４が形成されている。図１９および図２０に示すように、下部通気路２１５３は、遮断器本体１と対向する領域２１８のうちパネル部５１と対向していない下端部領域２１８ｂに形成され、上部通気路２１５４は、遮断器本体１と対向する領域２１８のうちパネル部５１と対向していない上端部領域２１８ｃに形成される。また、図１８に示す絶縁ベース２１の後部には、図２０に示すように、排気口として機能する複数の開口２１７１，２１７２，２１７３，２１７４，２１７５を含む排気部２１７が形成される。
【００８６】
開口２１７１は、前後通気路２１５２の後方に上下通気路２１５１に連続して設けられ、開口２１７２は、上下通気路２１５１のうち端子収納部２１１とスライダー収納部２１３との間の空間の後端に連続して設けられる。また、開口２１７３は、上下通気路２１５１のうち端子収納部２１２とスライダー収納部２１４との間の空間の後端に連続して設けられ、開口２１７４は、下部通気路２１５３の後端に連続して設けられ、開口２１７５は、上部通気路２１５４の後端に設けられる。
【００８７】
図１９に示すように、パネル５１２の通気口５１２ｃから図１８に示す通気口２１６１を介して前後通気路２１５２に空気が流入し、通気口２１６２から下部通気路２１５３に空気が流入し、通気口２１６３から上部通気路２１５４に空気が流入する。すなわち、パネル５１２の通気口５１２ｃ、および絶縁ベース２１の通気口２１６２，２１６３が吸気口として機能する。
【００８８】
端子ユニット２０−２の絶縁ベース２１には、スライダー５３，５４が収納されているが、スライダー５３には上下方向に貫通する開口５３ｆが形成され、同様に、スライダー５４には上下方向に貫通する開口５４ｆが形成される。したがって、図１９に示すように、下部通気路２１５３から端子収納部２１２に流入した空気は、開口５４ｆおよび開口５３ｆを介して端子収納部２１１へ流入する。
【００８９】
前後通気路２１５２に流入した空気は、スライダー５３の開口５３ｆを介して端子収納部２１１へ流入したり、前後通気路２１５２の後方に形成され開口２１７１から排気されたりする。端子収納部２１１へ流入した空気および上部通気路２１５４に流入した空気は、上部通気路２１５４の後方に形成された開口２１７５から絶縁ベース２１外へ排気される。このように、開口２１７１，２１７５は、排気口として機能する。
【００９０】
このように、引出形遮断器１００では、上下通気路２１５１、前後通気路２１５２、下部通気路２１５３、および上部通気路２１５４によって、端子収納部２１１，２１２に上下方向の流路が形成されることから、端子収納部２１１，２１２内の放熱性を高めることができる。なお、通気路部２１５は、端子収納部２１１，２１２内の放熱性を高めることができる一以上の通気路を有する構成であればよい。例えば、通気路部２１５は、上下通気路２１５１、前後通気路２１５２、下部通気路２１５３、および上部通気路２１５４のうち三つ以下の通気路を備える構成であってもよい。または、通気路部２１５は、上下通気路２１５１、前後通気路２１５２、下部通気路２１５３、および上部通気路２１５４以外の通気路を備える構成であってもよい。
【００９１】
また、遮断器本体１が端子装置２に接続された状態において、開口５１２ａ，５１２ｂはシャッター５２１，５２２で閉塞されていない。そのため、図２０に示すように、遮断器側導体１１，１２と開口５１２ａ，５１２ｂとの隙間は、吸気口として機能し、前後通気路２１５２、下部通気路２１５３、および上部通気路２１５４などと相俟って、通気路を形成する。これによっても、遮断器本体１の遮断器側導体１１，１２と端子装置２の引出枠側導体２２，２３との接続部分の温度上昇を抑制することができる。
【００９２】
また、端子ユニット２０−１，２０−３の絶縁ベース２１には、スライダー５３，５４が収納されない。したがって、上下通気路２１５１、前後通気路２１５２、下部通気路２１５３、および上部通気路２１５４などによって、端子ユニット２０−２と同等以上に、遮断器側導体１１，１２と引出枠側導体２２，２３との接続部分の温度上昇を抑制することができる。
【００９３】
以上のように、実施の形態１にかかる引出形遮断器１００は、遮断器本体１と、端子装置２と、引出枠３と、シャッター機構５とを備える。端子装置２は、電源側導体および負荷側導体に接続される複数の引出枠側導体２２，２３を有し、引出枠３内に配設される。遮断器本体１は、引出枠３内に収納された状態で端子装置２の複数の引出枠側導体２２，２３と接続される複数の遮断器側導体１１，１２を有し、引出枠３内からの引き出しが可能にされる。シャッター機構５は、パネル部５１と、シャッター部５２とを備える。パネル部５１は、遮断器本体１の引出枠３内への収納時に複数の遮断器側導体１１，１２が挿通される複数の開口５１１ａ，５１１ｂ，５１２ａ，５１２ｂ，５１３ａ，５１３ｂを有し、端子装置２と遮断器本体１との間に配設される。シャッター部５２は、遮断器本体１が引出枠３内から引き出された場合に複数の開口５１１ａ，５１１ｂ，５１２ａ，５１２ｂ，５１３ａ，５１３ｂを塞ぐ。端子装置２は、複数の引出枠側導体２２，２３を各々収納する複数の端子収納部２１１，２１２と、遮断器本体１と対向する領域から複数の端子収納部２１１，２１２のうち少なくとも一つに接続される一以上の通気路を含む通気路部２１５とを有する絶縁ベース２１を備える。通気路部２１５によって、複数の端子収納部２１１，２１２のうち少なくとも一つに通気を行うことができる。したがって、例えば、遮断器本体１が通電状態にある場合に、端子収納部２１１の通気を行うことで、遮断器本体１の遮断器側導体１１と端子装置２の引出枠側導体２２との接続部分の温度上昇を抑制することができる。また、遮断器本体１が通電状態にある場合に、端子収納部２１２に通気を行うことで、遮断器本体１の遮断器側導体１２と端子装置２の引出枠側導体２３との接続部分の温度上昇を抑制することができる。
【００９４】
また、通気路部２１５は、複数の端子収納部２１１，２１２間を接続する上下通気路２１５１を有する。したがって、複数の端子収納部２１１，２１２間を通じた通気を行うことができ、遮断器本体１の遮断器側導体１１，１２と端子装置２の引出枠側導体２２，２３との接続部分の温度上昇を効果的に抑制することができる。
【００９５】
また、シャッター部５２は、通気口５１３ｃ，５１３ｄを有し、通気路部２１５は、通気口５１３ｃ，５１３ｄに一端が対向する前後通気路２１５２を有する。したがって、端子装置２の前方から絶縁ベース２１内に空気を流入させることができる。また、前後通気路２１５２は、上下通気路２１５１に挿通されており、これにより、端子装置２の前方から絶縁ベース２１内に流入した空気を複数の端子収納部２１１，２１２の通気に利用することができる。
【００９６】
また、通気路部２１５は、遮断器本体１と対向する領域２１８のうちパネル部５１と対向していない下端部領域２１８ｂおよび上端部領域２１８ｃから複数の端子収納部２１１，２１２に連通し且つ屈曲形状を有する下部通気路２１５３および上部通気路２１５４を有する。下部通気路２１５３および上部通気路２１５４は、屈曲形状を有していることから、端子装置２の前方から例えば指などを挿入しても引出枠側導体２２に直接接触することができないようにすることができる。
【００９７】
また、引出形遮断器１００は、絶縁ベース２１内に配置され、遮断器本体１の引出枠３内からの引き出しに伴ってシャッター部５２を遮断器本体１の引き出し方向である前方に移動させるスライダー５３，５４を備える。絶縁ベース２１は、端子収納部２１１，２１２間に形成され、かつスライダー５３，５４を遮断器本体１と対向する方向に移動可能に収納するスライダー収納部２１３，２１４を備える。スライダー５３，５４は、端子収納部２１１，２１２間の通気路を形成する開口５３ｆ，５３ｇ，５４ｆ，５４ｇを有する。これにより、スライダー５３，５４を遮断器本体１の絶縁ベース２１に収納した状態で、端子収納部２１１，２１２間の通気路を形成することができる。そのため、スライダー５３，５４が設けられる端子ユニット２０−２の絶縁ベース２１と、スライダー５３，５４が設けられない端子ユニット２０−１，２０−３の絶縁ベース２１とを共用化することができ、引出形遮断器１００の製造コストを抑えることができる。
【００９８】
また、スライダー５３，５４の開口５４ｆ，５４ｇは、遮断器本体１が引出枠３内から引き出された状態を維持するためのロック部材７が取り付け可能である。したがって、スライダー５３，５４をロック部材７によってロックする部材を別途設ける場合に比べ、引出形遮断器１００の製造コストを抑えることができる。
【００９９】
また、シャッター部５２は、スライダー５３と係合する第１係合部の一例である凸部５２１ｆを備える。スライダー５３は、凸部５２１ｆと係合する第２係合部の一例である溝部５３ｅを備える。スライダー５３の開口５３ｆは、溝部５３ｅに連続して形成される。これにより、開口５３ｆを溝部５３ｅに連続していない場所に設ける場合に比べ、スライダー５３の強度低下を抑制することができる。
【０１００】
また、遮断器本体１は、三相の交流における相毎に複数の遮断器側導体１１，１２を備える。端子装置２は、複数の引出枠側導体２２，２３と絶縁ベース２１とを相毎に備える。三相の絶縁ベース２１のうち一つの相の絶縁ベース２１にスライダー５３，５４が配置される。これにより、三相の絶縁ベース２１のすべてにスライダー５３，５４を設ける場合に比べ、引出形遮断器１００の部品点数を削減することができ、引出形遮断器１００の製造コストを抑えることができる。
【０１０１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１０２】
１  遮断器本体、２  端子装置、３  引出枠、４  引出レール、５  シャッター機構、７  ロック部材、１０  筐体、１０ａ  前面部、１１，１１−１，１１−２，１１−３，１２，１２−１，１２−２，１２−３  遮断器側導体、２０−１，２０−２，２０−３  端子ユニット、２１  絶縁ベース、２２，２２−１，２２−２，２２−３，２３，２３−１，２３−２，２３−３  引出枠側導体、２４  ボルト、２５  ネジ、３１，３２  側板、３３，３４  保持板、４１，４２  レール部材、５１  パネル部、５２  シャッター部、５３，５４  スライダー、５３ａ  本体部、５３ｂ，５３ｃ，５３ｄ，５２１ｆ，５２２ｆ  凸部、５３ｅ，５４ｅ，２２３ａ，２２３ｂ，２３３ａ，２３３ｂ  溝部、５３ｆ，５３ｇ，５４ｆ，５４ｇ，５１１ａ，５１１ｂ，５１２ａ，５１２ｂ，５１３ａ，５１３ｂ，５１２ｅ，５１２ｆ，５１３ａ，５１３ｂ，２１７１，２１７２，２１７３，２１７４，２１７５  開口、５５，５６  圧縮ばね、６１，６２  ばね受け部、７１  つる、７２  鍵本体、１００  引出形遮断器、２１０  摺動面、２１１，２１２  端子収納部、２１３，２１４  スライダー収納部、２１３ａ，２１３ｂ  スライダー摺動溝、２１５  通気路部、２１６  通気口部、５１１ｃ，５１１ｄ，５１２ｃ，５１２ｄ，５１３ｃ，５１３ｄ，２１６１，２１６２，２１６３  通気口、２１７  排気部、２１８，２１８ａ  領域、２１８ｂ  下端部領域、２１８ｃ  上端部領域、２１９  ネジ穴、２２１，２３１  端子導体、２２１ａ，２３１ａ，２２２ａ，２３２ａ  底部、２２１ｂ，２３１ｂ  端子部、２２２，２３２  中継端子導体、２２２ｂ，２３２ｂ  先端部、２２３，２３３  コネクター、５１１，５１２，５１３  パネル、５２１，５２２  シャッター、５２１ａ，５２１ｂ，５２１ｃ  閉塞板部、５２１ｄ，５２１ｅ  連結部、５３１ｅ  第１の直進部、５３２ｅ  傾斜部、５３３ｅ  第２の直進部、２１５１  上下通気路、２１５２  前後通気路、２１５３  下部通気路、２１５３ａ，２１５４ａ  屈曲部、２１５４  上部通気路。
【図１】
2019116498.tif 000003
【図２】
2019116498.tif 000004
【図３】
2019116498.tif 000005
【図４】
2019116498.tif 000006
【図５】
2019116498.tif 000007
【図６】
2019116498.tif 000008
【図７】
2019116498.tif 000009
【図８】
2019116498.tif 000010
【図９】
2019116498.tif 000011
【図１０】
2019116498.tif 000012
【図１１】
2019116498.tif 000013
【図１２】
2019116498.tif 000014
【図１３】
2019116498.tif 000015
【図１４】
2019116498.tif 000016
【図１５】
2019116498.tif 000017
【図１６】
2019116498.tif 000018
【図１７】
2019116498.tif 000019
【図１８】
2019116498.tif 000020
【図１９】
2019116498.tif 000021
【図２０】
2019116498.tif 000022
【国際調査報告】
2019116498.tif 000023
2019116498.tif 000024
2019116498.tif 000025
2019116498.tif 000026